(57)【要約】【課題】地形データ及び障害物の高さデータを取得せずに、無線通信端末との実際の通信状況を基に基地局の増設位置を特定する基地局増設位置決定方法及び基地局を提供することである。【解決手段】本発明に係る基地局増設位置決定方法は、無線通信端末103と無線接続している基地局101が、無線通信端末103から無線通信端末103の位置情報を定期的に受信し、無線通信端末103と基地局101との無線接続が切断され、当該切断が異常切断である場合には、切断直前に受信した無線通信端末103の位置情報と基地局101を中心とした無線通信端末103の方位角とを含む異常データを記憶し、ある異常データと、当該異常データの方位角との差が所定の値未満である方位角を含む他の異常データとを同一異常データ群とし、同一異常データ群に基づいて増設方位を決定し、増設方位上のうち、当該増設方位に関する異常データの位置情報よりも遠方の点を基地局増設位置として決定する。【選択図】図１
2012039389.tif 000002
【特許請求の範囲】
【請求項１】
新たな基地局の増設位置を決定する基地局増設位置決定方法であって、無線通信端末と無線接続している基地局が、
前記無線通信端末から当該無線通信端末の位置情報を定期的に受信するステップと、
無線通信端末と基地局との無線接続の切断により前記位置情報が受信されなくなったとき、
前記切断が異常切断である場合には、切断直前に受信した前記無線通信端末の位置情報と前記基地局を中心とした前記無線通信端末の方位角とを含む異常データを記憶するステップと、
ある異常データと、当該異常データの方位角との差が所定の値未満である方位角を含む他の異常データとを同一異常データ群として、前記同一異常データ群に基づいて増設方位を決定するステップと、
前記増設方位上のうち、当該増設方位に関する異常データの位置情報よりも遠方の点を基地局増設位置として決定するステップと
を含む基地局増設位置決定方法。
【請求項２】
請求項１に記載の基地局増設位置決定方法において、更に、
前記基地局の前記増設方位と、前記基地局とは異なる基地局の増設方位との交点を基地局増設位置として決定するステップ
を含む基地局増設位置決定方法。
【請求項３】
請求項１又は２に記載の基地局増設位置決定方法において、更に、
前記ある異常データの方位角と、当該異常データの同一異常データ群に含まれる他の異常データの方位角との方位角差に基づいて、前記ある異常データの評価値を算出するステップと、
前記評価値に基づいて増設方位を決定するステップと
を含む基地局増設位置決定方法。
【請求項４】
請求項1又は２に記載の基地局増設位置決定方法において、更に、
前記ある異常データの同一異常データ群に含まれる他の異常データの数に基づいて、前記ある異常データの評価値を算出するステップと、
前記評価値に基づいて増設方位を決定するステップと
を含む基地局増設位置決定方法。
【請求項５】
無線通信端末と無線接続する基地局において、
記憶部と、
前記無線通信端末から当該無線通信端末の位置情報を定期的に受信する通信部と、
無線通信端末と基地局との無線接続の切断により前記位置情報が受信されなくなったとき、
前記切断が異常切断である場合には、切断直前に受信した前記無線通信端末の位置情報と前記基地局を中心とした前記無線通信端末の方位角とを含む異常データを前記記憶部に記憶させ、
ある異常データと、当該異常データの方位角との差が所定の値未満である方位角を含む他の異常データとを同一異常データ群とし、
前記同一異常データ群に基づいて増設方位を決定し、
前記増設方位上のうち、当該増設方位に関する異常データの位置情報よりも遠方の点を基地局増設位置として決定する制御部と
を備える基地局。
【発明の詳細な説明】
【技術分野】
【０００１】
本発明は、基地局増設位置決定方法及び基地局に関するものである。
【背景技術】
【０００２】
携帯電話やＰＨＳ（Personal Handy-phone System）などのシステムにおいて、安定した通信サービスをユーザに提供するためには、通信サービスエリアの拡張が必要となる。サービスエリアを拡張するためには、基地局を増設することになる。例えば、通信会社は、現在設置されている基地局の位置情報から基地局がまばらであるエリアを特定し、当該エリアに基地局を設置する。しかし、当該方法では、基地局の増設エリアを特定するために基地局の位置情報のみしか考慮されないため、本来増設する必要のない場所に基地局が設置される可能性が高い。また、山岳地帯や高層ビル等が建ち並ぶ市街地では、障害物が多いため基地局からの無線電波が届きにくい領域（不感帯）が存在する。このような障害物が多いエリアでは、基地局が多数設置されていたとしても、更なる基地局の設置が必要となる場合がある。
【０００３】
そこで、従来、既存の基地局の設置位置だけでなく、設置場所の候補であるエリアの個別状況を考慮して、基地局の設置位置を決定する方法が提案されている（例えば、特許文献１参照）。特許文献１に記載の発明は、設置場所の候補であるエリアの地形データと障害物（例えば、高層ビル）の高さデータとを取得し、障害物によって既存の基地局からの電波が届かないエリア（不感帯エリア）（例えば、高層ビルの陰となるエリア）を特定する。そして、ある位置に基地局を増設した場合に、新規基地局のサービスエリアと上記不感帯エリアとが重なるエリアを計算する。当該エリアは、新規基地局の設置により、電波が届くことになったエリアである。基地局の設置場所を変えて、同様の計算を行い、新規基地局のサービスエリアと上記不感帯エリアとが重なるエリアが最も大きい場所を基地局の増設位置とする。
【先行技術文献】
【特許文献】
【０００４】
【特許文献１】特開２００４−２４１７９９号公報
【発明の概要】
【発明が解決しようとする課題】
【０００５】
しかし、従来の方法では、基地局の増設位置を求めるために地形データ及び障害物の高さデータを取得する必要があるので、時間的及び経済的負担が大きい。
【０００６】
また、従来の方法における不感帯エリアは、基地局の位置と障害物の位置及び高さとから特定されるものであり、無線通信端末の実際の通信状況により特定されるものではない。そのため、近接する複数の基地局からの電波の干渉や反射波による干渉などの影響で、実際には通信が困難であるエリアが不感帯エリアに含まれず、見過される可能性がある。
【０００７】
従って、上記のような問題点に鑑みてなされた本発明の目的は、地形データ及び障害物の高さデータを取得せずに、無線通信端末との実際の通信状況を基に基地局の増設位置を特定する基地局増設位置決定方法及び基地局を提供することである。
【課題を解決するための手段】
【０００８】
上述した諸課題を解決すべく、第１の発明による基地局増設位置決定方法は、
無線通信端末と無線接続している基地局が、
前記無線通信端末から当該無線通信端末の位置情報を定期的に受信するステップと、
無線通信端末と基地局との無線接続の切断により前記位置情報が受信されなくなったとき、
前記切断が異常切断である場合には、切断直前に受信した前記無線通信端末の位置情報と前記基地局を中心とした前記無線通信端末の方位角とを含む異常データを記憶するステップと、
ある異常データと、当該異常データの方位角との差が所定の値未満である方位角を含む他の異常データとを同一異常データ群として、前記同一異常データ群に基づいて増設方位を決定するステップと、
前記増設方位上のうち、当該増設方位に関する異常データの位置情報よりも遠方の点を基地局増設位置として決定するステップと
を含むものである。
【０００９】
また、当該基地局増設位置決定方法は更に、
前記基地局の前記増設方位と、前記基地局とは異なる基地局の増設方位との交点を基地局増設位置として決定するステップ
を含むことが望ましい。
【００１０】
また、当該基地局増設位置決定方法は更に、
前記ある異常データの方位角と、当該異常データの同一異常データ群に含まれる他の異常データの方位角との方位角差に基づいて、前記ある異常データの評価値を算出するステップと、
前記評価値に基づいて増設方位を決定するステップと
を含むことが望ましい。
【００１１】
また、当該基地局増設位置決定方法は更に、
前記ある異常データの同一異常データ群に含まれる他の異常データの数に基づいて、前記ある異常データの評価値を算出するステップと、
前記評価値に基づいて増設方位を決定するステップと
を含むことが望ましい。
【００１２】
上述したように本発明の解決手段を方法として説明してきたが、本発明はこれらに実質的に相当する物、プログラム、プログラムを記録した記憶媒体としても実現し得るものであり、本発明の範囲にはこれらも包含されるものと理解されたい。
【００１３】
例えば、第１の発明を物として実現させた基地局は、
無線通信端末と無線接続する基地局において、
記憶部と、
前記無線通信端末から当該無線通信端末の位置情報を定期的に受信する通信部と、
無線通信端末と基地局との無線接続の切断により前記位置情報が受信されなくなったとき、
前記切断が異常切断である場合には、切断直前に受信した前記無線通信端末の位置情報と前記基地局を中心とした前記無線通信端末の方位角とを含む異常データを前記記憶部に記憶させ、
ある異常データと、当該異常データの方位角との差が所定の値未満である方位角を含む他の異常データとを同一異常データ群とし、
前記同一異常データ群に基づいて増設方位を決定し、
前記増設方位上のうち、当該増設方位に関する異常データの位置情報よりも遠方の点を基地局増設位置として決定する制御部と
を備えるものである。
【発明の効果】
【００１４】
上記のように構成された本発明にかかる基地局増設位置決定方法及び基地局によれば、基地局増設位置は基地局と無線通信端末との無線接続の切断状態及び切断時の位置により決定されるものであるため、地形データ及び障害物の高さデータ等を取得せずに、実際の通信状況に則した増設位置を決定することができる。
【図面の簡単な説明】
【００１５】
【図１】図１は、本発明の一実施形態に係る概略的な通信ネットワーク図である。
【図２】図２は、本発明の一実施形態に係る基地局の概略構成を示す機能ブロック図である。
【図３】図３は、本発明の一実施形態に係る異常データの収集方法を示すフローチャートである。
【図４】図４は、本発明の一実施形態に係る増設位置の決定方法を示すフローチャートである。
【図５】図５は、本発明の一実施形態に係る座標上の異常データを示す図である。
【図６】図６は、本発明の一実施形態に係る増設位置の決定方法を示す図である。
【発明を実施するための形態】
【００１６】
以下、本発明の実施形態について、図面を参照して説明する。
【００１７】
図１は、本発明の一実施形態に係る概略的な通信ネットワーク図である。通信ネットワーク１１は、基地局１０１と、無線通信端末１０３と、ＧＰＳ（Global Positioning System）衛星１０５とから構成されている。基地局１０１は、無線通信端末１０３と無線リンクを確立し、通信を行うものである。無線通信端末１０３は、例えば、携帯電話端末やＰＨＳ端末である。基地局１０１及び無線通信端末１０３はそれぞれ、複数のＧＰＳ衛星１０５から各衛星の軌道情報を取得し、当該取得情報を基に自局又は自端末の位置を求める。
【００１８】
図２は、本発明の一実施形態に係る基地局の概略構成を示す機能ブロック図である。本実施形態に係る基地局１０１は、第１通信部１１１（請求項における通信部）と、第２通信部１１３と、記憶部１１５と、網インタフェース部１１６と、制御部１１７とを有している。
【００１９】
第１通信部１１１は、無線通信端末１０３と各種データを送受信するものである。第１通信部１１１は、例えば、無線通信端末１０３から、当該端末の位置情報を受信する。第２通信部１１３は、ＧＰＳ衛星１０５と各種データを送受信するものである。第２通信部１１３は、ＧＰＳ衛星１０５から、衛星に搭載された原子時計からの時刻情報や衛星の軌道情報を受信する。
【００２０】
記憶部１１５は、基地局１０１の位置情報、無線通信端末１０３の位置情報及び基地局１０１を中心とした無線通信端末１０３の方位角などの各種情報を記憶するとともに、ワークメモリなどとしても機能する。
【００２１】
網インタフェース部１１６は、基地局１０１が他の基地局と接続し、各種データを送受信するためのもので、例えば、Ｘ２インタフェースである。Ｘ２インタフェースとは、３ＧＰＰ（3rd Generation Partnership Project）で規定された基地局間インタフェースのことである。網インタフェース部１１６は、無線通信端末１０３が他の基地局へハンドオーバしたという情報や他の基地局に関する増設方位を、他の基地局から取得する。基地局に関する増設方位とは、当該基地局を中心としたときに新たな基地局を設置すべき方位を示すものである。
【００２２】
制御部１１７は、基地局１０１の各機能ブロックをはじめとして基地局１０１の全体を制御及び管理する。ここで、制御部１１７は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることができる。
【００２３】
制御部１１７の機能についてより詳細に説明する。制御部１１７は、無線通信端末１０３に送信すべきデータを変調し、また無線通信端末１０３から受信したデータを復調する。
【００２４】
また、制御部１１７は、第１通信部１１１が受信したデータ信号の受信レベルを算出する。受信レベルは、例えば、ＲＳＳＩ（Received Signal Strength Indicator：受信信号強度）である。
【００２５】
また、制御部１１７は、複数のＧＰＳ衛星１０５から受信した衛星の軌道情報を基に、各ＧＰＳ衛星１０５から基地局１０１までの距離を算出し、当該距離から基地局１０１の位置座標を求める。なお、基地局１０１の位置座標は、ＧＰＳ衛星１０５からの信号を基に算出されることに限定されない。例えば、基地局１０１の位置情報が基地局１０１の基本情報として記憶部１１５に記憶されている場合は、制御部１１７は、記憶されている位置情報を用いることができる。
【００２６】
また、制御部１１７は、無線通信端末１０３との無線接続（無線リンク）が切断されると、ユーザ（無線通信端末１０３のユーザ及び当該ユーザの通話相手を含む）の意図しない切断（異常切断）か否かを判断する。異常切断か否かの判断は、例えば、無線通信端末１０３に備えられているオンフックボタン（通話切断用ボタン）の押下により発生する信号を第１通信部１１１が受信したか、又は通話相手によるオンフックボタンの押下を示す信号を網インタフェース部１１６が取得したかにより行われる。また、制御部１１７は、ハンドオーバによる無線接続の切断は、通話を継続するために必要な切断であるため、ユーザの意図しない切断、つまり異常切断ではないと判断する。
【００２７】
また、制御部１１７は、異常切断時の無線通信端末１０３の位置情報と基地局１０１を中心とした無線通信端末１０３の方位角とを含む異常データを記憶部１１５に記憶させ、異常データを基に増設方位を決定する。制御部１１７は、増設方位を決定するために、異常データ毎にグルーピング処理を行う。異常データが複数存在する場合、制御部１１７は、ある異常データの方位角との差が所定の値未満である方位角を含む他の異常データを特定する。そして、制御部１１７は、ある異常データと、特定された異常データとを同一異常データ群とする。異常データ毎に、同一異常データ群が定義されることになる。
【００２８】
以下、増設方位の決定方法について図３及び図４を用いて説明する。図３は、増設位置を決定するため必要な異常切断に関する異常データの収集方法を示すフローチャートである。図４は、収集された異常データから増設位置を決定する方法を示すフローチャートである。
【００２９】
まず、図３のフローチャートについて説明する。
【００３０】
基地局１０１の制御部１１７は、第２通信部１１３がＧＰＳ衛星１０５から受信した情報から、基地局１０１の位置を算出する（ステップＳ１０１）。そして、制御部１１７は、基地局１０１の位置情報を記憶部１１５に記憶させる。なお、既に記憶部１１５に位置情報が記憶されていて、且つ基地局１０１の位置が変わっていない場合は、ステップＳ１０１は省略できる。
【００３１】
基地局１０１と無線通信端末１０３とが無線接続されている間、第１通信部１１１は、無線通信端末１０３から定期的に当該端末の位置情報を受信する（ステップＳ１０２）。なお、制御部１１７は、無線通信端末１０３による位置情報の送信周期を決定することができる。そして、制御部１１７は、位置情報の受信に伴い、受信レベルを算出することができる（ステップＳ１０３）。これら２つのステップは、基地局１０１と無線通信端末１０３との間の無線接続が切断されるまで繰り返される（ステップＳ１０４）。
【００３２】
無線接続が切断された場合（ステップＳ１０４のＹｅｓ）、制御部１１７は、切断が異常切断か否か判断する（ステップＳ１０５）。
【００３３】
切断が異常切断である場合（ステップＳ１０５のＹｅｓ）、制御部１１７は、基地局１０１の位置情報と切断直前に受信した無線通信端末１０３の位置情報とから、切断時の基地局１０１から無線通信端末１０３までの距離（対象距離）を算出することができる（ステップＳ１０６）。そして、制御部１１７は、対象距離が対象距離に関する閾値（対象距離閾値）未満か否か判断することができる（ステップＳ１０７）。無線通信端末１０３が基地局１０１の電波の届く範囲（通信可能エリア）の外に移動すれば、当然無線接続は切断される。そのため、例えば、対象距離閾値に基地局１０１からの電波が届く距離を設定することにより、電波が届かなかったことに起因する切断（ハンドオーバによる無線接続の切断）を、異常切断の対象外にすることができる。なお、無線通信端末１０３における基地局１０１からのハンドオーバによる無線接続の切断以外の切断については、異常切断の対象としてもよい。
【００３４】
算出された対象距離が対象距離閾値未満である場合(ステップＳ１０７のＹｅｓ)、制御部１１７は、切断直前の受信レベルが受信レベルに関する閾値（受信レベル閾値）以上か判断することができる（ステップＳ１０８）。受信レベルが小さいほど、無線リンクは切断しやすい。そのため、例えば、受信レベル閾値に安定した通信を保証する値を設定することにより、受信レベルが低かったことに起因する切断を異常切断の対象外にすることができる。
【００３５】
切断直前の受信レベルが受信レベル閾値以上である場合（ステップＳ１０８のＹｅｓ）、制御部１１７は、基地局１０１の位置情報と切断直前に受信した無線通信端末１０３の位置情報とから、基地局１０１を中心としたときの無線通信端末１０３の方位角を算出する（ステップＳ１０９）。角度は、例えば北を基準として算出できる。
【００３６】
そして、制御部１１７は、切断直前に受信した無線通信端末１０３の位置情報及び算出した方位角を含む異常データを記憶部１１５に記憶させる（ステップＳ１１０）。
【００３７】
制御部１１７は、更なる異常データの収集が必要か否か判断する（ステップＳ１１１）。当該判断は、例えば、記憶された異常データの個数や、異常データの収集を開始してからの経過時間などに基づいて行われる。例えば、記録された異常データの個数が予め定めた値以上になったときに、又は異常データの収集を開始してからの経過時間が予め定めた値以上になった場合、制御部１１７は、更なる異常データの収集は不要と判断することができる（ステップＳ１１１のＮｏ）。制御部１１７が更なる異常データの収集が必要であると判断すると（ステップＳ１１１のＹｅｓ）、ステップＳ１０２〜Ｓ１１０の処理が繰り返される。以下、表１に示される４つの異常データが収集されたとする。
【００３８】
【表１】
2012039389.tif 000003
【００３９】
続いて、収集した異常データから増設位置を決定する方法について図４を用いて説明する。
【００４０】
異常データを図５のように基地局を中心とした座標（ｘ軸が０°）にプロットした場合に、異常データが最も密集している方位が基地局を増設すべき方位（増設方位）であると考えることができる。異常データの密集度合いを、以下のように算出される評価値によって表現することにする。
【００４１】
まず、制御部１１７は、収集した異常データから１つ異常データを選択する（ステップＳ２０１）。以下、ａ１が選択されたとして説明する。そして、制御部１１７は、ａ１の方位角との差が所定の値未満である方位角を含む他の異常データを特定する。つまり、制御部１１７は、ａ１の同一データ群に含まれる異常データを特定する（ステップＳ２０２）。所定の値を１０°とすると、ａ２及びａ３が、ａ１の同一異常データ群に含まれる。
【００４２】
続いて、制御部１１７は、ａ１の同一異常データ群に含まれる異常データ（ａ１、ａ２、ａ３）を用いてａ１の評価値を算出する（ステップＳ２０３）。評価値の算出方法の一例として、異常データ同士の方位角差に基づいて評価値を算出する方法について説明する。制御部１１７は、まず選択された異常データ（ａ１）と、同一異常データ群のサンプルデータそれぞれ（ａ２及びａ３）との方位角の差を算出する（５°（1/36π）及び８°（2/45π））。そして、制御部１１７は、余弦関数（cos）を用いて、算出された方位角差における余弦を算出する（cos（1/36π）及びcos（2/45π））。制御部１１７は、算出された余弦を全て和算して得られる値を選択された異常データの評価値とする（ａ１の評価値＝cos（1/36π）＋cos（2/45π））。余弦の値が大きいほど、選択された異常データの方位角と近い値を有する他のサンプルデータが存在することを意味する。つまり、評価値が大きいほど、選択された異常データの方位角の周辺に異常データが密集していると判断できる。
【００４３】
評価値の算出方法の別の例として、同一異常データ群に含まれる異常データの数に基づいて評価値を算出する方法について説明する。制御部１１７は、選択された異常データ（ａ１）の同一異常データ群に含まれる異常データ（ａ１、ａ２、ａ３）の数を数える。そして、制御部１１７は、異常データの数を選択された異常データの評価値とする（ａ１の評価値＝３）。評価値が大きいほど、選択された異常データの方位角の周辺に異常データが密集していると判断できる。
【００４４】
制御部１１７は、選択された異常データの評価値算出後、全ての異常データについて評価値を算出したか否か判断する（ステップＳ２０４）。全ての異常データについて評価値を算出していない場合（ステップＳ２０４のＮｏ）、ステップＳ２０１〜ステップＳ２０３の処理が繰り返される。
【００４５】
全ての異常データの表価値が算出されると（ステップＳ２０４のＹｅｓ）、制御部１１７は、評価値が最も大きい異常データ（ａ１）の方位角の示す方位を増設方位に決定する（ステップＳ２０５）。
【００４６】
そして、制御部１１７は、増設方位を基に増設位置を決定する（ステップＳ２０６）。増設方位に関する異常データ（ａ１）の位置で異常切断が生じているので、ａ１の位置までは、無線通信端末１０３は基地局１０１と通信が可能である。そのため、増設方位上のうち、ａ１の位置よりも基地局１０１に近いエリアには、基地局の増設は不要である。よって、制御部１１７は、増設方位上のうち、増設方位に関する異常データ（ａ１）の位置よりも遠方の点を基地局の増設位置に決定する。
【００４７】
また、ステップＳ２０６において、基地局１０１が、網インタフェース部１１６を介して基地局１０１とは異なる基地局２０１の増設方位を取得できる場合、制御部１１７は、図６のように基地局１０１の増設方位ｄ１と、基地局２０１の増設方位ｄ２との交点ｉを基地局の増設位置に決定することができる。なお、ｃ１は、増設方位ｄ１に関する異常データの位置情報、つまり当該異常データに関する切断位置を示している。ｃ２は、増設方位ｄ２に関する異常データの位置情報、つまり当該異常データに関する切断位置を示している。
【００４８】
このように本実施形態では、基地局１０１の制御部１１７は、無線通信端末１０３から当該端末１０３の位置情報を定期的に受信し、無線通信端末１０３との無線接続の切断が異常切断であるとき、切断時の無線通信端末１０３の位置情報と基地局１０１を中心とした無線通信端末１０３の方位角とを含む異常データを記憶部１１５に記憶させる。そして、制御部１１７は、異常データ毎に同一異常データ群を定義し、同一異常データ群に基づいて増設方位を決定する。制御部１１７は、増設方位上のうち、増設方位に関する異常データの位置よりも遠方の点を基地局増設位置に決定する。つまり、基地局増設位置は、基地局１０１と無線通信端末１０３との無線接続の切断状態及び切断時の位置により決定されるものであるため、実際の通信状況に則したものである。また、基地局１０１は、無線通信端末１０３からの位置情報の受信と、無線通信端末１０３との無線接続の切断状態の管理により、基地局増設位置を決定するため、地形データ及び障害物の高さデータ等を取得する必要がない。
【００４９】
また、本実施形態では、制御部１１７は、同一異常データ群に基づいて増設方位を決定するために、ある異常データの方位角と、当該異常データの同一異常データ群に含まれる他の異常データの方位角との方位角差に基づいて、ある異常データの評価値を算出し、異常データの評価値より増設方位を決定することができる。方位角差は、２つの異常データの離れ度合いを示す一つの指標である。つまり、制御部１１７は、基地局１０１を中心としたときに異常切断が生じやすい方位を、取得した異常データの密集度合いにより特定することができる。
【００５０】
また、本実施形態では、制御部１１７は、同一異常データ群に基づいて増設方位を決定するために、方位角差ではなく、同一異常データ群に含まれる異常データの数に基づいて、異常データの評価値を決定する。評価値を求めるために方位角差ではなく異常データの数を用いることにより、異常データの密集度合いの評価精度は低くなるものの、計算量を少なくすることができる。
【００５１】
また、本実施形態では、制御部１１７は、基地局１０１の増設方位ｄ１と基地局２０１の増設方位ｄ２との交点を基地局増設位置に決定することができる。つまり、新たに１つ基地局を設置することにより、２つの既存の基地局１０１及び２０１についての異常切断が生じやすい方位をカバーすることができる。これにより、効率の良い基地局増設が可能となる。
【００５２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各機能部、各ステップなどに含まれる機能などは論理的に矛盾しないように再配置可能であり、複数の機能部やステップなどを１つに組み合わせたり、或いは分割したりすることが可能である。
【符号の説明】
【００５３】
１１  通信ネットワーク
１０１、２０１  基地局
１０３  無線通信端末
１０５  ＧＰＳ衛星
１１１  第１通信部
１１３  第２通信部
１１５  記憶部
１１６  網インタフェース部
１１７  制御部
ａ１〜ａ４  異常データ
ｄ１、ｄ２  増設方位
ｃ１、ｃ２  切断位置
ｉ  増設位置
【図１】
2012039389.tif 000004
【図２】
2012039389.tif 000005
【図３】
2012039389.tif 000006
【図４】
2012039389.tif 000007
【図５】
2012039389.tif 000008
【図６】
2012039389.tif 000009